(57)【特許請求の範囲】
【請求項１】
無線の制御信号を送信する単一のリモコン送信器と、このリモコン送信器の制御信号に基づいて制御される第１負荷及び第２負荷と、この第２負荷の電力供給のオンオフを押操作により制御するスイッチとを備えるリモコン制御システムであって、
前記リモコン送信器は、それぞれ異なる制御信号を送信する第１のチャンネル及び第２のチャンネルを有し、
前記スイッチは、規格化されたサイズに第１操作ハンドル及び第２操作ハンドルを備え、
前記第１操作ハンドルは、前記第１のチャンネルが出力する前記制御信号を受信することにより前記第１負荷に供給する電力を制御し、
前記第２操作ハンドルは、前記第２のチャンネルが出力する前記制御信号を受信することにより前記第２負荷に供給する電力を制御する
ことを特徴とするリモコン制御システム。
【請求項２】
請求項１に記載のリモコン制御システムにおいて、
前記第２負荷は、複数個設けられ、
前記第２操作ハンドルは、前記第２負荷すべてに対する電力供給のオンオフを一括して制御する
ことを特徴とするリモコン制御システム。
【発明の詳細な説明】
【技術分野】
【０００１】
本発明は、無線の制御信号を送信する単一のリモコン送信器と、このリモコン送信器の制御信号に基づいて制御される第１負荷及び第２負荷を備えるリモコン制御システムに関する。
【背景技術】
【０００２】
近年、家屋等の部屋の空間演出を目的として、シーリングライト等の主照明とダウンライト等の副照明とを組み合わせて用いる照明負荷の構成の要求が増加している。このような構成の場合、主照明には照明器具付属のリモコン送信器が備えられているものがあるが、副照明にはリモコン送信器が備えられているものがなかった。そのため、副照明のオンオフの操作には、部屋の壁部に埋め込まれたスイッチを押操作しなければならず、副照明の操作性が悪かった。
【０００３】
上述のような問題に対して、副照明にも照明器具付属のリモコン送信器を備えることが考えられる。しかしながら、この場合には主照明及び副照明のそれぞれに対応したリモコン送信器を用意するため、リモコン送信器の数が増加してしまう。その結果、リモコン送信器を主照明用及び副照明用と区別した上で使用しなければならず、使い勝手が悪かった。なお、このような問題は、照明器具に限定されることなく、他の負荷機器にも同様のことが言える。
【０００４】
そこで、共通のリモコン送信器を用いて、複数の負荷機器を制御することができる制御システムが知られている（例えば、特許文献１参照）。特許文献１では、主照明の他にテレビや空気調和機等の負荷機器に対して共通のリモコン送信器によって制御する旨が開示されている。これにより、リモコン送信器の数の増大を抑制することができ、使い勝手が向上するようになる。
【先行技術文献】
【特許文献】
【０００５】
【特許文献１】特開２００７−１８１０６８号公報
【発明の概要】
【発明が解決しようとする課題】
【０００６】
ところで、特許文献１では、各負荷機器に対してリモコン送信器から送信される制御信号を受信する受信部及びこの制御信号に基づいて負荷機器を制御する制御部が必要であった。ここで、壁部に設けられた壁埋め込み式スイッチ（以下、「スイッチ」）によって制御される負荷機器の場合には、スイッチに設けられた制御部によって負荷機器が制御されるようになる。しかしながら、特許文献１の構成では、スイッチの制御部とは別に負荷機器に制御部が必要となるため、負荷機器の構成が複雑化してしまう問題があった。
【０００７】
本発明は、上記実情に鑑みてなされたものであり、その目的とするところは、各負荷機器に対してリモコン送信器を共通化するとともに、スイッチによって制御される負荷機器の構成の複雑化を抑制したリモコン制御システムを提供することにある。
【課題を解決するための手段】
【０００８】
以下、上記目的を達成するための手段及びその作用効果について記載する。
（１）請求項１に記載の発明は、無線の制御信号を送信する単一のリモコン送信器と、このリモコン送信器の制御信号に基づいて制御される第１負荷及び第２負荷と、この第２負荷の電力供給のオンオフを押操作により制御するスイッチとを備えるリモコン制御システムであって、前記リモコン送信器は、それぞれ異なる制御信号を送信する第１のチャンネル及び第２のチャンネルを有し、前記スイッチは、規格化されたサイズに第１操作ハンドル及び第２操作ハンドルを備え、前記第１操作ハンドルは、前記第１のチャンネルが出力する前記制御信号を受信することにより前記第１負荷に供給する電力を制御し、前記第２操作ハンドルは、前記第２のチャンネルが出力する前記制御信号を受信することにより前記第２負荷に供給する電力を制御することを要旨とする。
【０００９】
この発明によれば、単一のリモコン送信器によって、第１負荷及び第２負荷の制御ができるため、即ち第１負荷及び第２負荷に対してリモコン送信器を共通化することができるため、リモコン送信器の数を減らすことができ、使い勝手が良くなる。
【００１０】
その上、スイッチによりリモコン送信器の制御信号を受信して第２負荷の制御を行う構成、即ち第２負荷の制御をスイッチにて行う構成であるため、第２負荷に同負荷の電力供給のオンオフを制御する構成を設ける必要がなくなる。したがって、第２負荷の構成の複雑化を抑制することができるようになる。
また、リモコン送信器は第１のチャンネル及び第２のチャンネルの切換により、第１操作ハンドルへ送信する制御信号と第２操作ハンドルへ送信する制御信号とを区別している。したがって、例えば第１負荷を制御するための制御信号を第２操作ハンドルが受信することにより第２負荷が制御されてしまう等の誤操作の問題を抑制することができる。
さらに、スイッチが規格化されたサイズに収納される構成であるため、このスイッチが規格化されたサイズに収納されていない構成と比較して、既存のスイッチから本発明のスイッチに取り替える際の施工が容易となる。
【００１１】
（２）請求項２に記載の発明は、請求項１に記載のリモコン制御システムにおいて、前記第２負荷は、複数個設けられ、前記第２操作ハンドルは、前記第２負荷すべてに対する電力供給のオンオフを一括して制御することを要旨とする。
【００１２】
この発明によれば、複数の第２負荷すべてに対する電力供給のオンオフを第２操作ハンドルが一括して制御することができるため、各第２負荷に受光部を設ける構成と比較して、受光部の数を低減することができる。したがって、リモコン制御システムとしての受光部の数を削減することができ、リモコン制御システムが高価なものになることを抑制することができる。
【発明の効果】
【００１９】
本発明によれば、各負荷機器に対してリモコン送信器を共通化するとともに、スイッチによって制御される負荷機器の構成の複雑化を抑制したリモコン制御システムを提供することができる。
【図面の簡単な説明】
【００２０】
【図１】本発明のリモコン制御システムを具体化した第１の実施形態について、同システムの概略構成を示すシステム図。
【図２】同実施形態のリモコン制御システムについて、（ａ）スイッチの正面構造を示す正面図、（ｂ）スイッチのハンドル及び化粧プレートを取り外した状態の正面構造を示す正面図。
【図３】同実施形態のリモコン制御システムについて、リモコン送信器の３面構造を示す平面図。
【図４】同実施形態のリモコン制御システムについて、スイッチの受信回路を示すブロック図。
【図５】同実施形態のリモコン制御システムについて、リモコン送信器の送信回路を示すブロック図。
【図６】本発明のリモコン制御システムを具体化した第２の実施形態について、スイッチからリモコン送信器を取り外した状態のスイッチ及びリモコン送信器の正面構造を示す正面図。
【図７】同実施形態のリモコン制御システムについて、リモコン送信器の３面構造を示す平面図。
【図８】本発明のリモコン制御システムのその他の実施形態について、主照明のワイヤレス信号の受信範囲を示す模式図。
【図９】図８の比較例としての従来の主照明のワイヤレス信号の受信範囲を示す模式図。
【図１０】本発明のリモコン制御システムのその他の実施形態について、スイッチの正面構造を示す正面図。
【発明を実施するための形態】
【００２１】
（第１の実施形態）
図１〜図５を参照して、本発明のリモコン制御システムを家屋等の部屋に設けられたシーリングライトである主照明とダウンライトである副照明との制御を行う制御システムとして具体化した第１の実施形態について説明する。
【００２２】
図１に示すように、リモコン制御システム（以下、「システム１」）は、部屋の天井Ｃの中央に設けられた１個の主照明ＣＬと、天井Ｃの四隅に設けられた４個の副照明ＤＬと、部屋の壁部（不図示）に設けられた壁埋め込み式スイッチ１Ａと、主照明ＣＬに付属のリモコン送信器１Ｂとから構成されている。これら副照明ＤＬは、全て同様の形状及び構成となっている。リモコン送信器１Ｂは、例えば赤外線等の無線のパルス信号であるワイヤレス信号（制御信号）を送信する。
【００２３】
壁埋め込み式スイッチ１Ａ（以下、「スイッチ１Ａ」）は、主照明ＣＬの電力供給のオンオフを押操作により切り替える第１操作部ＳＷ１と、副照明ＤＬの電力供給のオンオフを押操作により切り替える第２操作部ＳＷ２とが設けられている。また第２操作部ＳＷ２には、リモコン送信器１Ｂから送信されたワイヤレス信号を受信する受光部１１ｅ（図２参照）が設けられている。
【００２４】
システム１は、リモコン送信器１Ｂから送信されたワイヤレス信号を主照明ＣＬに設けられた受信部（不図示）が受信することにより主照明ＣＬの制御を行う。そしてワイヤレス信号をスイッチ１Ａが受信することにより、副照明ＤＬの電力供給のオンオフの制御を行っている。
【００２５】
図２（ａ）に示すように、スイッチ１Ａには、高さ方向の上方に第１操作部ＳＷ１が設けられ、高さ方向の下方に第２操作部ＳＷ２が設けられている。
第１操作部ＳＷ１には、押操作を行うハンドル１０と、ハンドル１０の裏面側に設けられたＬＥＤの発光を示す表示部１０ａとが設けられている。また第２操作部ＳＷ２には、押操作を行うハンドル１１と、受光部１１ｅを覆う受信カバー部１１ａと、受信カバー部１１ａの内部に設けられるとともにハンドル１１の裏面側に設けられたＬＥＤの発光を示す表示部１１ｂとが設けられている。そしてこれらハンドル１０，１１を高さ方向及び長さ方向から取り囲むように化粧プレート２０が設けられている。
【００２６】
図２（ｂ）に示すように、スイッチ１Ａには、リモコン送信器１Ｂ（図１参照）のワイヤレス信号を登録する操作を行うための操作片１２が設けられている。またスイッチ１Ａの受光部１１ｅからの信号に基づいて副照明ＤＬへの電力供給のオンオフを制御する受信回路３０（図２では不図示）が設けられている。
【００２７】
また、スイッチ１Ａには、枠体状にて形成された取付枠１３が設けられている。この取付枠１３は、日本工業規格や日本配線器具工業会において規格化されている大角形３個用の取付枠である。なお本実施形態の取付枠１３では、高さ方向に３個の配線器具寸法の配線器具が取り付け可能であり、長さ方向に１個の配線器具寸法の配線器具が取り付け可能である（以下、この取付枠１３を「一連のサイズ」の取付枠とする）。
【００２８】
またハンドル１０は、上記規格化された取付枠において最大３個まで取り付けることができる配線器具寸法である１個モジュール寸法に相当する寸法にて形成され、ハンドル１１は、２個モジュール寸法（即ち１個モジュール寸法の２倍）に相当する寸法にて形成されている。
【００２９】
また図示しないが、スイッチ１Ａには、受信回路３０が設けられる回路基板、壁部の裏側に配線された電線と接続する端子部材及び回路基板及び端子部材を収納するボディが設けられている。
【００３０】
図３に示すように、リモコン送信器１Ｂは、その外枠を構成するリモコン本体部４０と、このリモコン本体部４０に設けられた第１〜第３操作部４２〜４４と、各操作部４２〜４４の押操作に伴いワイヤレス信号を送信する発光部４５とから構成されている。また、リモコン送信器１Ｂには、各操作部４２〜４４の押操作に伴う信号に基づいた信号を発光部４５に伝達する送信回路５０が設けられている。
【００３１】
ここで、第１操作部４２は主照明ＣＬ（図１参照）を点灯するものであり、第２操作部４３は主照明ＣＬの照度を調整（調光）するものであり、第３操作部４４は主照明ＣＬを消灯するものである。
【００３２】
リモコン本体部４０の横側面４０ａには、発光部４５からのワイヤレス信号をチャンネルＣＨ１，ＣＨ２に応じた信号にそれぞれ切り替えるチャンネル切換部４６が設けられている。具体的には、チャンネル切換部４６によってチャンネルＣＨ１に設定したときには、主照明ＣＬ（図１参照）を制御するワイヤレス信号が発光部４５から送信される。そしてチャンネル切換部４６によってチャンネルＣＨ２に設定したときには、副照明ＤＬ（図１参照）を制御するワイヤレス信号が発光部４５から送信される。
【００３３】
次に、図４及び図５を参照して、スイッチ１Ａに設けられた受信回路３０と、リモコン送信器１Ｂに設けられた送信回路５０との回路構成の概略について説明する。
図４に示すように、受信回路３０は、受信部３１と制御部３２と信号登録部３３と記憶部３４と負荷制御部３５と電源部３６とから構成されている。
【００３４】
受信部３１は、リモコン送信器１Ｂ（図１参照）のワイヤレス信号を受信している。また受光部１１ｅは、受信部３１の一部を構成している。負荷制御部３５は、交流電源ＡＣから副照明ＤＬへの給電路に設けられたスイッチ要素（例えば、リレーや半導体スイッチング素子等）を有している。電源部３６は、交流電源ＡＣから電力供給されるとともに各部の動作電源を生成している。
【００３５】
制御部３２は、受信部３１が受信したワイヤレス信号に基づいてスイッチ要素の開閉制御を行う。具体的には、制御部３２が負荷制御部３５に制御信号を出力し、この制御信号に基づいて負荷制御部３５がスイッチ要素を開閉駆動させて副照明ＤＬへの給電路を開閉するようになる。詳細には、スイッチ要素が開状態の時に受信部３１が副照明ＤＬを点灯する旨のワイヤレス信号を受信した場合には、制御部３２が負荷制御部３５を介してスイッチ要素を閉状態となるように駆動させて副照明ＤＬへの給電路を閉じる。これにより、副照明ＤＬに電力が供給されて、副照明ＤＬが点灯するようになる。一方スイッチ要素が閉状態の時に受信部３１が副照明ＤＬを消灯する旨のワイヤレス信号を受信した場合には、制御部３２が負荷制御部３５を介してスイッチ要素を開状態となるように駆動させて副照明ＤＬへの給電路を開く。これにより、副照明ＤＬへの電力供給が遮断されて、副照明ＤＬが消灯するようになる。
【００３６】
また負荷制御部３５は、上記制御信号に基づいて４個の副照明ＤＬの電力供給のオンオフを一括して制御している。具体的には、負荷制御部３５がスイッチ要素を閉駆動することにより、全ての副照明ＤＬが点灯し、負荷制御部３５がスイッチ要素を開駆動することにより、全ての副照明ＤＬが消灯する。
【００３７】
信号登録部３３は、リモコン送信器１Ｂが送信するワイヤレス信号を登録するものである。これにより、受信部３１にて受信したワイヤレス信号が登録したワイヤレス信号と一致したときのみ制御部３２から負荷制御部３５に制御信号を出力する。なお、新たなワイヤレス信号を登録する際には、図２（ｂ）に示すように、ハンドル１１を取り外し、操作片１２を押操作する。この操作片１２の押操作に伴い登録ボタンの操作部（不図示）が押操作される。
【００３８】
登録ボタンが押操作されると、制御部３２の動作モードが登録モードに移行するとともに表示部１１ｂが点灯されるようになる。なお、操作片１２は押操作が解除されると元の位置に復帰し、登録ボタンの押操作も解除されるようになる。
【００３９】
その後、登録したワイヤレス信号を受信部３１が受信すると、制御部３２はこのワイヤレス信号を記憶部３４に記憶させる。また、ワイヤレス信号の登録が完了すると、再度操作片１２を押操作することにより、表示部１１ｂが消灯されるとともに制御部３２が登録モードから元の動作モードに移行するようになる。
【００４０】
図５に示すように、送信回路５０は、第１〜第３操作部４２〜４４の押操作に基づいた制御を行う制御部５１と、この制御部５１に電力を供給する電池５２と、制御部５１からの制御信号に基づいてワイヤレス信号を送信する送信部５３とから構成されている。また発光部４５は送信部５３の一部を構成している。
【００４１】
制御部５１は、点灯／消灯回路５４と調光回路５５とチャンネル切換回路５６とから構成されている。点灯／消灯回路５４は、第１操作部４２及び第３操作部４４による主照明ＣＬ（図１参照）の点灯及び消灯を制御している。調光回路５５は、第２操作部４３による主照明ＣＬの照度を調整している。チャンネル切換回路５６は、チャンネル切換部４６の操作に伴うチャンネルＣＨ１，ＣＨ２の切り換えによるワイヤレス信号の切換を行っている。
【００４２】
本実施形態では、リモコン送信器１Ｂのワイヤレス信号をチャンネルＣＨ２に設定したとき、即ちリモコン送信器１Ｂのワイヤレス信号として副照明ＤＬを制御するワイヤレス信号に設定したとき、スイッチ１Ａの受光部１１ｅに向けて上記ワイヤレス信号を送信することにより、副照明ＤＬが制御される。具体的には、上記ワイヤレス信号を受信部３１が受信し、制御部３２に信号を出力する。制御部３２ではこの信号に基づいて、予め記憶されたワイヤレス信号と上記信号とが一致するため、副照明ＤＬを制御する制御信号を負荷制御部３５に出力する。
【００４３】
一方、リモコン送信器１Ｂのワイヤレス信号をチャンネルＣＨ１に設定したとき、即ちリモコン送信器１Ｂのワイヤレス信号として主照明ＣＬを制御するワイヤレス信号に設定したとき、受光部１１ｅに向けてワイヤレス信号を送信しても副照明ＤＬが制御されることはない。具体的には、受信部３１が制御部３２に向けて出力する信号と制御部３２が予め記憶したワイヤレス信号とが一致しないため、副照明ＤＬを制御する制御信号を負荷制御部３５に出力しない。
【００４４】
同様に、リモコン送信器１Ｂのワイヤレス信号をチャンネルＣＨ２に設定したとき、主照明ＣＬは制御されず、上記ワイヤレス信号をチャンネルＣＨ１に設定したとき、主照明ＣＬは制御されるようになる。
【００４５】
以上により、リモコン送信器１Ｂは、主照明ＣＬに設けられた受信部（不図示）に設定されたワイヤレス信号を送信することにより、主照明ＣＬの点灯及び消灯の制御並び調光制御を行う。一方リモコン送信器１Ｂは、スイッチ１Ａの受光部１１ｅに設定されたワイヤレス信号を送信することにより、副照明ＤＬの点灯及び消灯の制御を行う。
【００４６】
ところで、リモコン送信器１Ｂにより副照明ＤＬを制御する構成として、副照明ＤＬのそれぞれに受信部を備え、リモコン送信器１Ｂのワイヤレス信号をその受信部に受信させて、副照明ＤＬの点灯及び消灯を制御する構成が考えられる。
【００４７】
しかしながら、副照明ＤＬのそれぞれに受信部を設ける構成の場合には、本実施形態のように副照明ＤＬが４個ある場合には、４個の受信部が必要となり、受信部の数が多くなってしまう。その結果、システムとして高価なものになってしまう問題があった。
【００４８】
そこで、受信部の数を低減するために、所定の１個の副照明ＤＬのみに受信部を設ける構成が考えられる。具体的には、上記受信部にリモコン送信器のワイヤレス信号が受信されたときに、４個の副照明ＤＬの全ての点灯及び消灯を制御する構成が考えられる。
【００４９】
しかしながら、副照明ＤＬは互いに同様な構成であるため、どの副照明ＤＬに受信部が設けられたかの判別が困難となり、リモコン送信器１Ｂによる副照明ＤＬの制御の使い勝手が悪くなってしまう問題があった。
【００５０】
その点において、本実施形態では、スイッチ１Ａに受光部１１ｅを設け、この受光部１１ｅが受信したワイヤレス信号に基づいて副照明ＤＬの制御を行うことにより、上述の受信部の数が多くなる問題及び副照明ＤＬの受信部の位置の把握が困難となる問題の両方を同時に解消することができるようになる。
【００５１】
また、照明器具付属のリモコン送信器は、照明器具製造メーカによってリモコン送信器が送信するワイヤレス信号が異なる場合がある。このような場合には、受信回路３０の記憶部３４に照明器具製造メーカ各社のワイヤレス信号を予め記憶させておく。これにより、メーカ各社のリモコン送信器から送信されたワイヤレス信号を受信部が受信したとき、記憶部３４の中から記憶されたパルス信号と一致するものがあるかを判断する。そして、記憶されたワイヤレス信号と一致したときに制御部３２から負荷制御部３５に制御信号を出力し、副照明ＤＬの点灯及び消灯を制御するようになる。
【００５２】
本実施形態のシステム１によれば、以下の効果を奏することができる。
（１）本実施形態によれば、単一のリモコン送信器１Ｂによって、主照明ＣＬ及び副照明ＤＬの制御ができるため、即ち主照明ＣＬ及び副照明ＤＬに対してリモコン送信器１Ｂを共通化することができるため、リモコン送信器の数を減らすことができるようになる。
【００５３】
また、スイッチ１Ａの受光部１１ｅによりリモコン送信器１Ｂから送信されるワイヤレス信号を受信して副照明ＤＬの制御を行う構成、即ち副照明ＤＬの制御をスイッチ１Ａの制御部３２及び負荷制御部３５が行う構成である。したがって、副照明ＤＬのそれぞれに受信部及び制御部を設ける必要がなくなる。したがって、副照明ＤＬの構成の複雑化を抑制することができるようになる。
【００５４】
（２）本実施形態によれば、４個の副照明ＤＬすべてに対する電力供給のオンオフをスイッチ１Ａが一括して制御することができる構成である。したがって、各副照明ＤＬに受光部を設ける構成と比較して、受光部１１ｅの数を低減することができる。したがって、システム１としての受光部の数を削減することができ、システム１が高価なものになることを抑制することができる。
【００５５】
（３）本実施形態によれば、スイッチ１Ａの受信回路３０には、リモコン送信器１Ｂのワイヤレス信号を登録する信号登録部３３が設けられる構成である。したがって、リモコン送信器１Ｂのワイヤレス信号と登録されたワイヤレス信号と一致したときのみ制御部３２から負荷制御部３５に制御信号が出力されるため、リモコン送信器１Ｂ以外のワイヤレス信号の受信により副照明ＤＬが制御されるような誤操作を抑制することができる。
【００５６】
特に、照明器具製造メーカによりリモコン送信器１Ｂのワイヤレス信号のワイヤレス信号がそれぞれ異なる場合、予め信号登録部３３に各社のリモコン送信器１Ｂのワイヤレス信号を登録し、記憶部３４に記憶させておく構成である。したがって、各社のリモコン送信器１Ｂを用いたとしても、共通のスイッチ１Ａによって副照明ＤＬの制御を行うことができるようになる。
【００５７】
（４）本実施形態によれば、リモコン送信器１ＢはチャンネルＣＨ１，ＣＨ２の切換により、主照明ＣＬへ送信するワイヤレス信号とスイッチ１Ａへ送信するワイヤレス信号とを区別している。したがって、例えば主照明ＣＬを制御するためのワイヤレス信号をスイッチ１Ａが受信することにより副照明ＤＬが制御されてしまう等の誤操作の問題を抑制することができる。
【００５８】
（５）本実施形態によれば、スイッチ１Ａのハンドル１０，１１が一連のサイズに収納される構成である。ここで、スイッチのハンドルが一連のサイズに納まっていない場合、二連のサイズのスイッチを設ける必要がある。その場合には、既存の一連のサイズのスイッチから取り替える場合には、壁部に設けられた一連のサイズ用の穴から二連のサイズ用の穴に拡大する追加工事が必要となる。その点において、本実施形態では、スイッチ１Ａのハンドル１０，１１が一連のサイズに収納されているため、上記追加工事を省略することができる。したがって、既存のスイッチからスイッチ１Ａに取り替える際の施工が容易となる。さらに一連のサイズのスイッチは家屋等において最も使用頻度が高いため、スイッチ１Ａを取り付ける位置の自由度が向上するようになる。
【００５９】
（第２の実施形態）
図６及び図７を参照して、本発明のリモコン制御システムを家屋等の部屋に設けられたシーリングライトである主照明とダウンライトである副照明との制御を行う制御システムとして具体化した第２の実施形態について説明する。本実施形態では、第１の実施形態と比較して、スイッチ１Ａ及びリモコン送信器１Ｂの構成が異なる。以降では、本実施形態と第１の実施形態との相違を中心に説明する。なお、同一部材には同一符号を付し、その説明を省略する。
【００６０】
図６に示すように、スイッチ１Ａにはリモコン送信器１Ｂが取り付けられている。具体的には、スイッチ１Ａのハンドル１１に、このハンドル１１の受信カバー部１１ａ以外の箇所の部位と略同一形状のリモコン送信器１Ｂが取り付けられている。また受信カバー部１１ａの内部には永久磁石１１ｃが設けられている。リモコン送信器１Ｂには、永久磁石１１ｃと磁気的に吸引される磁性体の金属板（不図示）が設けられている。この永久磁石１１ｃと金属板との磁気吸引の作用により、リモコン送信器１Ｂは、ハンドル１１に着脱可能に取り付けられている。また受信カバー部１１ａの側面には、リモコン送信器１Ｂと係合する係合爪１１ｄが設けられている。この係合爪１１ｄがリモコン送信器１Ｂに係合されることにより、ハンドル１１に対するリモコン送信器１Ｂの位置が決定されるようになる。
【００６１】
リモコン送信器１Ｂがハンドル１１に取り付けられた状態では、リモコン送信器１Ｂを押操作することにより、ハンドル１１が押操作される。これにより、副照明ＤＬの電力供給のオンオフが制御され、副照明ＤＬの点灯及び消灯が制御されるようになる。一方リモコン送信器１Ｂがハンドル１１から取り外された状態では、ハンドル１１を直接押操作することにより、同様に副照明ＤＬの点灯及び消灯が制御されるようになる。
【００６２】
図７に示すように、リモコン送信器１Ｂには、平面視において長方形状の平板にて形成される筐体となるリモコン本体６０が設けられている。このリモコン本体６０の裏面側には、操作部６１が設けられている。この操作部６１には、主照明ＣＬ及び副照明ＤＬ（図１参照）の点灯及び消灯を操作する第１操作部６３と、主照明ＣＬの調光を制御する第２操作部６４とが設けられている。また、リモコン本体６０の高さ方向の上端面６０ａには、発光部６２が設けられている。
【００６３】
リモコン送信器１Ｂは、主照明ＣＬに設けられた受信部にワイヤレス信号を送信することにより、主照明ＣＬの点灯及び消灯の制御並びに主照明ＣＬの調光制御を行う。一方リモコン送信器１Ｂは、スイッチ１Ａの受信部にワイヤレス信号を送信することにより、副照明ＤＬの点灯及び消灯の制御を行う。
【００６４】
本実施形態のシステム１によれば、第１の実施形態の効果（１）〜（５）に加え、以下の効果を奏する。
（６）本実施形態によれば、リモコン送信器１Ｂがスイッチ１Ａのハンドル１１に着脱可能となる構成である。したがって、ハンドル１１の部分がリモコン送信器１Ｂの置き場所となるため、主照明ＣＬ付属のリモコン送信器の場合に必要となる主照明ＣＬとは別に設けられた置き場所を省略することができる。その結果、上記置き場所を忘れてしまうことにより、リモコン送信器１Ｂを紛失してしまう問題を抑制することができるようになる。
【００６５】
（その他の実施形態）
本実施形態のシステム１は、上記各実施形態に限定されることなく、例えば以下の変更が可能である。また、以下の変形例は、上記各実施形態についてのみ適用されるものでなく、異なる変形例同士を互いに組み合わせて実施する場合にも適用することもできる。
【００６６】
上記各実施形態のリモコン送信器１Ｂによれば、チャンネルＣＨ１，ＣＨ２の設定により、主照明ＣＬへのワイヤレス信号とスイッチ１Ａへのワイヤレス信号と区別していたが、本発明はこれに限定されることはない。例えばチャンネルＣＨ１のワイヤレス信号によって、主照明ＣＬ及びスイッチ１Ａの制御を行ってもよい。この場合、図８に示すように、図９に示す従来の主照明ＣＬの受信範囲Ｒ２よりも狭い主照明ＣＬの受信範囲Ｒ１として設定することが望ましい。これにより、主照明ＣＬの受信範囲Ｒ１とスイッチ１Ａの受信範囲（不図示）とを区画することができ、リモコン送信器１Ｂにて副照明ＤＬを制御するための操作によって主照明ＣＬが制御されてしまう等の誤操作を抑制することができる。その上、チャンネルＣＨ１，ＣＨ２の切換操作を省略するため、リモコン送信器１Ｂの操作の煩雑さを抑制することができるようになる。
【００６７】
上記各実施形態のスイッチ１Ａによれば、１連のサイズの取付枠１３に主照明ＣＬの制御を行うハンドル１０と副照明ＤＬの制御を行うハンドル１１とが設けられたが、本発明はこれに限定されることはない。例えば、図１０に示すように、１連のサイズの取付枠が長さ方向に２個並んで設けられた取付枠である２連のサイズの取付枠（不図示）にハンドル１０及びハンドル１１をそれぞれ取り付けることもできる。具体的には、スイッチ１Ａの長さ方向の右側に３個モジュール寸法のハンドル１０を取り付け、長さ方向の左側に３個モジュール寸法のハンドル１１を取り付ける。これにより、各ハンドル１０，１１の押操作が容易となる。
【００６８】
上記各実施形態のシステム１によれば、副照明ＤＬは４個であったが、副照明ＤＬの数はこれに限定されることはない。副照明ＤＬは複数個あればよい。
上記各実施形態のシステム１によれば、制御する負荷として主照明ＣＬと副照明ＤＬとの２つの負荷としたが、本発明の負荷はこれに限定されることはない。例えば、副照明ＤＬに代えて、換気扇を制御することもできる。
【００６９】
上記各実施形態のシステム１によれば、ハンドル１０，１１はそれぞれ主照明ＣＬ及び副照明ＤＬの電力供給のオンオフを制御することにより、主照明ＣＬ及び副照明ＤＬのそれぞれの点灯及び消灯を制御したが、本発明のハンドルはこれに限定されることはない。例えば、ハンドル１０に調光制御するつまみが別途設けられることにより、ハンドル１０において主照明ＣＬの調光を制御することもできる。これは副照明ＤＬについても同様である。
【００７０】
上記各実施形態のシステム１によれば、ハンドル１１のみに受光部１１ｅが設けられ、リモコン送信器１Ｂのワイヤレス信号が受光部１１ｅに受光されることにより、副照明ＤＬの制御を行ったが、本発明の制御はこれに限定されることはない。例えば、ハンドル１０にも受光部を設け、リモコン送信器１Ｂのワイヤレス信号を受光する構成とすることもできる。この場合には、リモコン送信器１Ｂのワイヤレス信号は、ハンドル１１の受光部１１ｅとハンドル１０の受光部とにおいて区別することが望ましい。これにより、リモコン送信器１Ｂのワイヤレス信号をスイッチ１Ａに向けて送信することにより、主照明ＣＬ及び副照明ＤＬの両方の制御を行うことができるようになる。
【００７１】
上記各実施形態のシステム１によれば、１つのスイッチ１Ａに第１操作部ＳＷ１及び第２操作部ＳＷ２が設けられたが、本発明のスイッチ１Ａの構成はこれに限定されることはない。例えば、互いに異なる壁部の位置に設けられた第１スイッチ及び第２スイッチに第１操作部ＳＷ１及び第２操作部ＳＷ２が設けられる構成とすることもできる。
【００７２】
上記各実施形態のシステム１によれば、主照明ＣＬと副照明ＤＬとの２種類の負荷の制御システムであったが、例えば換気扇や他の照明器具を加えた３種類以上の負荷の制御システムとすることもできる。また負荷の数もしくは種類に応じて、チャンネルの数も増加することもできる。また同様に負荷の数もしくは種類に応じて、ハンドル１０，１１の数も増加することもできる。
【００７３】
上記各実施形態のリモコン送信器１Ｂによれば、ワイヤレス信号として赤外線を用いたが、ワイヤレス信号として電波、光、電磁波等の他のワイヤレス信号とすることもできる。
【００７４】
上記各実施形態のリモコン送信器１Ｂは、主照明ＣＬの調光を制御する第２操作部４３が設けられたが、第２操作部４３は省略することもできる。
【符号の説明】
【００７５】
１…システム（リモコン制御システム）、１Ａ…スイッチ（壁埋め込み式スイッチ）、１Ｂ…リモコン送信器、１０…ハンドル（第１操作ハンドル）、１１…ハンドル（第２操作ハンドル）、１１ａ…受信カバー部、１１ｂ…表示部、１１ｃ…永久磁石、１１ｄ…係合爪、１１ｅ…受光部、１２…操作片、１３…取付枠、２０…化粧プレート、３０…受信回路、３１…受信部、３２…制御部、３３…信号登録部、３４…記憶部、３５…負荷制御部、３６…電源部、４０…リモコン本体部、４２…第１操作部、４３…第２操作部、４４…第３操作部、４５…発光部、４６…チャンネル切換部、５０…送信回路、５１…制御部、５２…電池、５３…送信部、５４…点灯／消灯回路、５５…調光回路、５６…チャンネル切換回路、６０…リモコン本体部、６０ａ…上端面、６１…操作部、６２…発光部、６３…第１操作部、６４…第２操作部、Ｃ…天井、ＣＬ…主照明（第１負荷）、ＤＬ…副照明（第２負荷）、ＣＨ１…チャンネル（第１のチャンネル）、ＣＨ２…チャンネル（第２のチャンネル）ＳＷ１…第１操作部、ＳＷ２…第２操作部、Ｓ１…第１操作部、Ｓ２…第２操作部、Ｓ３…第３操作部。
【図１】
0005520558.tif 000002
【図２】
0005520558.tif 000003
【図３】
0005520558.tif 000004
【図４】
0005520558.tif 000005
【図５】
0005520558.tif 000006
【図６】
0005520558.tif 000007
【図７】
0005520558.tif 000008
【図８】
0005520558.tif 000009
【図９】
0005520558.tif 000010
【図１０】
0005520558.tif 000011